(57)【要約】【課題】従来使用される裏面磁気コートされた紙駐車券に代わり、磁気コートのない紙駐車券を使用することで、駐車券コストを削減するとともに、使用済駐車券はリサイクル使用処理可能にする。【解決手段】入場車番認識部が入場車両の車番を認識し、駐車券発行機は当該入場車両の車番を印字した駐車券を発行する。出場時に、精算機は、出場車番認識部が認識した車番と供給された駐車券から文字を読み取り認識した車番とを照合し、一致した場合に当該車両に関連して記録した入場時刻を得て駐車料金を計算する。【選択図】  図1
2012083814.tif 000002
【特許請求の範囲】
【請求項１】
一又は複数の精算機を備えそのうちの一を親精算機とする駐車場において入場車両の車番を認識する入場車番認識部と、
前記入場車番認識部から車番を受け取り当該入場車両について車番を印字した駐車券を発行するとともに前記入場車番認識部が認識した車番を親精算機に送る駐車券発行機と、
出場車両の車番を認識する出場車番認識部と、
前記駐車券発行機から前記入場車番認識部が認識した車番を受け取るとともに当該車番に関連して当該入場時刻を記録する親精算機と、
前記出場車番認識部が認識した車番と供給された駐車券から文字を読み取り認識した車番とを照合し、一致した場合に当該車両に関連して記録した入場時刻を前記親精算機から得て駐車料金を計算する精算機とからなることを特徴とする車番文字印字式駐車券システム。
【請求項２】
一又は複数の精算機を備えそのうちの一を親精算機とする駐車場において入場車両の車番を認識する入場車番認識部と、
前記入場車番認識部から車番を受け取り当該入場車両について車番を印字した駐車券を発行するとともに前記入場車番認識部が認識した車番を親精算機に送る駐車券発行機と、
前記駐車券発行機から前記入場車番認識部が認識した車番を受け取るとともに当該車番に関連して当該入場時刻を記録する親精算機と、
駐車券から文字を読み取り認識した車番に関する車両の入場時刻を親精算機から得て駐車料金を計算し、駐車料金を徴収したのち前記駐車券を利用者に戻すとともに事前精算完了を親精算機に送る事前精算機と、
出場車両の車番を認識する出場車番認識部と、
前記出場車番認識部からの車番と供給された駐車券から文字を読み取り認識した車番とを照合し、照合の一致及び前記親精算機から当該車番について事前精算完了情報があることを確認してゲート開処理をする精算機とからなることを特徴とする車番文字印字式駐車券システム。
【請求項３】
一又は複数の精算機を備えそのうちの一を親精算機とする駐車場において入場車両の車番が認識できないとき認識不可信号を送出する入場車番認識部と、
前記入場車番認識部から認識不可信号を受け取り当該入場車両を個別に区別するための所定の識別符号を印字した駐車券を発行するとともに前記識別符号を親計算機に送る駐車券発行機と、
前記駐車券発行から識別符号を受け取るとともに当該識別符号に関連して入場時刻を記録する親精算機と、
駐車券から前記識別符号を読み取ることにより、当該識別符号に関連して記録した入場時刻を親精算機から得て駐車料金を計算する精算機とからなることを特徴とする車番文字印字式駐車券システム。
【請求項４】
一又は複数の精算機を備えそのうちの一を親精算機とする駐車場において入場車両の車番が認識できないとき認識不可信号を送出する入場車番認識部と、
前記入場車番認識部から認識不可信号を受け取り当該入場車両を個別に区別するための所定の識別符号を印字した駐車券を発行するとともに前記車番が認識できなかったときに印字された前記識別符号とともに当該入場時刻を親精算機に送る駐車券発行機と、
駐車券から前記識別符号を読み取ることにより、当該識別符号に関する車両の入場時刻を親精算機から得て駐車料金を計算し、駐車料金を徴収したのち前記駐車券を利用者に戻すとともに事前精算完了を親精算機に送る事前精算機と、
駐車券から前記識別符号を読み取ることにより、前記親精算機から当該識別符号に関連した車両について事前精算完了情報があることを確認してゲート開処理をする親精算機とからなることを特徴とする車番文字印字式駐車券システム。
【発明の詳細な説明】
【技術分野】
【０００１】
本発明は、駐車場において運用される駐車券発行とその精算を扱うシステムに関する。
【背景技術】
【０００２】
駐車場においてその利用と駐車料金の徴収ために駐車券が用いられている。現在一般に使用されている駐車券は磁気式である。発行時に必要情報を磁気データで駐車券に記録するとともに入場時刻を印字する。
【０００３】
しかしながら磁気式駐車券は普通紙に比較して高価であり、磁気材料を塗布するために化学物質を使用しているので使用済み券の廃棄の際は産業廃棄物扱いで処理費用も発生する。
さらに、磁気データは駐車券の折れや曲がりに弱く、利用者の扱いが悪いと精算時に読み取れない場合も発生する。
【先行技術文献】
【特許文献】
【０００４】
【特許文献１】特開平０７−１７５９４８号公報
【発明の概要】
【発明が解決しようとする課題】
【０００５】
解決しようとする問題点は、従来使用される裏面磁気コートされた紙駐車券に代わり、磁気コートのない紙駐車券を使用することで、駐車券コストを削減するとともに、回収駐車券はリサイクル使用可能なシステムを提供する。
【課題を解決するための手段】
【０００６】
請求項１に記載の車番文字印字式駐車券システムは、一又は複数の精算機を備えそのうちの一を親精算機とする駐車場において入場車両の車番を認識する入場車番認識部と、前記入場車番認識部から車番を受け取り当該入場車両について車番を印字した駐車券を発行するとともに前記入場車番認識部が認識した車番を親精算機に送る駐車券発行機と、出場車両の車番を認識する出場車番認識部と、前記駐車券発行機から前記入場車番認識部が認識した車番を受け取るとともに当該車番に関連して当該入場時刻を記録する親精算機と、前記出場車番認識部が認識した車番と供給された駐車券から文字を読み取り認識した車番とを照合し、一致した場合に当該車両に関連して記録した入場時刻を前記親精算機から得て駐車料金を計算する精算機とからなることを特徴とするものである。
【０００７】
請求項２に記載の車番文字印字式駐車券システムは、一又は複数の精算機を備えそのうちの一を親精算機とする駐車場において入場車両の車番を認識する入場車番認識部と、前記入場車番認識部から車番を受け取り当該入場車両について車番を印字した駐車券を発行するとともに前記入場車番認識部が認識した車番を親精算機に送る駐車券発行機と、前記駐車券発行機から前記入場車番認識部が認識した車番を受け取るとともに当該車番に関連して当該入場時刻を記録する親精算機と、駐車券から文字を読み取り認識した車番に関する車両の入場時刻を親精算機から得て駐車料金を計算し、駐車料金を徴収したのち前記駐車券を利用者に戻すとともに事前精算完了を親精算機に送る事前精算機と、出場車両の車番を認識する出場車番認識部と、前記出場車番認識部からの車番と供給された駐車券から文字を読み取り認識した車番とを照合し、照合の一致及び前記親精算機から当該車番について事前精算完了情報があることを確認してゲート開処理をする精算機とからなることを特徴とするものである。
【０００８】
請求項３に記載の車番文字印字式駐車券システムは、一又は複数の精算機を備えそのうちの一を親精算機とする駐車場において入場車両の車番が認識できないとき認識不可信号を送出する入場車番認識部と、前記入場車番認識部から認識不可信号を受け取り当該入場車両を個別に区別するための所定の識別符号を印字した駐車券を発行するとともに前記識別符号を親計算機に送る駐車券発行機と、前記駐車券発行から識別符号を受け取るとともに当該識別符号に関連して入場時刻を記録する親精算機と、駐車券から前記識別符号を読み取ることにより、当該識別符号に関連して記録した入場時刻を親精算機から得て駐車料金を計算する精算機とからなることを特徴とするものである。
【０００９】
請求項４に記載の車番文字印字式駐車券システムは、一又は複数の精算機を備えそのうちの一を親精算機とする駐車場において入場車両の車番が認識できないとき認識不可信号を送出する入場車番認識部と、前記入場車番認識部から認識不可信号を受け取り当該入場車両を個別に区別するための所定の識別符号を印字した駐車券を発行するとともに前記車番が認識できなかったときに印字された前記識別符号とともに当該入場時刻を親精算機に送る駐車券発行機と、駐車券から前記識別符号を読み取ることにより、当該識別符号に関する車両の入場時刻を親精算機から得て駐車料金を計算し、駐車料金を徴収したのち前記駐車券を利用者に戻すとともに事前精算完了を親精算機に送る事前精算機と、駐車券から前記識別符号を読み取ることにより、前記親精算機から当該識別符号に関連した車両について事前精算完了情報があることを確認してゲート開処理をする親精算機とからなることを特徴とするものである。
【発明の効果】
【００１０】
請求項１に記載の車番文字印字式駐車券システムによると、駐車券発行機において車番を印字した駐車券を発行し、精算機においては出場車番認識部が認識した車番と供給された駐車券から文字を読み取り認識した車番とを照合し、一致した場合に当該車両に関連して記録した入場時刻を得て駐車料金を計算するようにする。このため、駐車券素材として磁気券を用いていず、安価に実現することができ、携帯電話機、磁気ネックレスなどによる記録データの消滅がなく、駐車券の折り曲げによる文字データの読み取りに対する障害が少なく、車番を直接駐車券に印字しているから、他の車両への使用は車番が異なり駐車券交換による不正使用の抑止の効果が大となり、精算機で駐車券の印字文字を読み、出場車番認識部が認識した車番と照合するので、他の駐車券を複写等する不正防止が可能となる。
【００１１】
請求項２に記載の車番文字印字式駐車券システムによると、駐車券発行機において車番を印字した駐車券を発行し、事前精算機においては駐車券から文字を読み取り認識した車番に関する車両の入場時刻を親精算機から得て駐車料金を計算し、駐車料金を徴収したのち前記駐車券を利用者に戻すとともに事前精算完了を親精算機に送り、精算機においては出場車番認識部からの車番と供給された駐車券から文字を読み取り認識した車番とを照合し、照合の一致及び当該車番について事前精算完了情報があることを確認してゲート開処理をする。このため、駐車券素材として磁気券を用いていず、安価に実現することができ、携帯電話機、磁気ネックレスなどによる記録データの消滅がなく、駐車券の折り曲げによる文字データの読み取りに対する障害が少なく、車番を直接駐車券に印字しているから、他の車両への使用は車番が異なり不正使用の抑止の効果が大となり、事前精算機で駐車券の印字文字を読み、親精算機が記録する入場時刻により駐車料金を計算し、事前に精算することができるとともに、精算機において駐車券の印字文字を読み、出場車番認識部が認識した車番と照合するので、他の駐車券を複写等する不正防止が可能となる。
【００１２】
請求項３に記載の車番文字印字式駐車券システムによると、入場車番認識部で入場車両の車番が認識できないとき認識不可信号を送出し、駐車券発行機では当該入場車両を個別に区別するための所定の識別符号を印字した駐車券を発行することで、請求項１における識別符号を車番の代用とすることが可能となる。このため、駐車券素材として磁気券を用いていず、安価に実現することができ、携帯電話機、磁気ネックレスなどによる記録データの消滅がなく、駐車券の折り曲げによる文字データの読み取りに対する障害が少ない。
【００１３】
請求項４に記載の車番文字印字式駐車券システムによると、入場車番認識部で入場車両の車番が認識できないとき認識不可信号を送出し、駐車券発行機では当該入場車両を個別に区別するための所定の識別符号を印字した駐車券を発行することで、請求項２における識別符号を車番の代用とすることが可能となる。このため、駐車券素材として磁気券を用いていず、安価に実現することができ、携帯電話機、磁気ネックレスなどによる記録データの消滅がなく、駐車券の折り曲げによる文字データの読み取りに対する障害が少なく、事前精算機で駐車券の印字文字を読み、親精算機が記録する入場時刻により駐車料金を計算し、事前に精算することができる。
【図面の簡単な説明】
【００１４】
【図１】駐車券システムの構成を説明する図である。（実施例１）
【図２】駐車券の一例を示す図である。（実施例２）
【実施例１】
【００１５】
図１は、本発明の車番文字印字式駐車券システムの１実施例の構成図である。図１において、１０１は入り口側の光電センサー、１０２は入り口側の車両感知器、１０３は駐車券発行機、１０４は入り口側の車番カメラ、１０５は入場車番認識部、１０６は入り口側のカーゲート、１１１は事前精算機、１２１は出口側の光電センサー、１２２は出口側の車両感知器である。１２３は全自動精算機からなる精算機、１２３ａは精算から適当に１台を選んだ親精算機であり、精算機１２３が１台の場合、これが親精算機１２３ａを兼ねる。１２４は出口側の車番カメラ、１２５は出場車番認識部、１２６は出口側のカーゲートである。
【００１６】
車両が駐車場に入場しようとして進入すると、これを駐車場の入り口付近に設置された光電センサー１０１が検知する。この検知により、車番カメラ１０４を動作して進入車両を撮像する。さらに車両が進み、車両感知器１０２が駐車券発行機１０３に来たことを検知し、駐車券発行機１０３は利用者への案内準備をする。入場車番認識部１０５は撮像画像を解析して車番の全桁を認識する。入場車番認識部１０５が車番を認識できないときは、認識不可信号を出力する。
駐車券発行機１０３は、入場車番認識部１０５から前記認識した車番か認識不可信号を受け取る。
駐車券発行機１０３は、車番を受け取ったときは、車番全桁、入場時刻（現在時刻）を駐車券用紙に印字し、駐車券を発行し（図２（ａ））、一方、認識不可信号を受け取ったときは、当該入場車両を個別に区別するための所定の識別符号として例えば一連番号、さらに、その他として例えば駐車場コード、発行端末コード等を印字した駐車券を発行する（図２（ｂ））。駐車券用紙は磁気塗布しない用紙例えば感熱紙を使用する。
利用者が駐車券発行機１０３から駐車券を抜き取った後、駐車券発行機１０３の図示しない制御部はカーゲート１０６を制御して開く。駐車券発行機１０３は親精算機１２３ａに車番または識別符号を送り、親精算機１２３ａはこれら情報を入場時刻とともに記録する。入場時刻は親精算機１２３ａ内部による時刻あるいは駐車券発行機１０３から送られる情報によるもののいずれでもよい。また、親精算機１２３ａは、車両が車両感知器１０２を通過して入場後、親精算機は入庫計数を＋１し、全部在庫を＋１する。
【００１７】
（事前精算）
利用者が事前精算をしようとする場合、駐車場近辺に設置した事前精算機１１１のＯＣＲリーダーに駐車券を挿入する。
事前精算機１１１は券情報すなわち車番または識別符号を読み取り、読み取った券情報に基づいて親精算機１２３ａに問い合わせる。
親精算機１２３ａは、車番または識別符号の入場時刻を検索し、結果を事前精算機１１１に通知する。事前精算機１１１は入場時刻と現在時刻とに基づいて駐車料金を計算し、駐車料金を利用者に表示する。駐車料金が徴収されると、駐車券を戻し、券を抜き取るようにアナウンスする。その後、事前精算機１１１は事前精算完了情報を親精算機１２３ａに送り、親精算機１２３ａは当該車番または識別符号付与の車両について事前精算完了情報を記録する。
【００１８】
（事前精算がない場合の出庫処理）
車両が駐車場から出場しようとして出口に進めると、これを駐車場の出口付近に設置された光電センサー１２１が検知する。この検知により、車番カメラ１２４を動作して出庫車両を撮像する。さらに車両が進み、車両感知器１２２が精算機１２３（または親精算機１２３ａ）に来たことを検知し、精算機１２３（または親精算機１２３ａ）は利用者への案内準備をする。出場車番認識部１２５は車番の全桁を認識するため撮像画像を解析する。出場車番認識部１２５が車番を認識できないときは、認識不可信号を出力する。
全自動精算機１２３または親精算機１２３ａは、出場車番認識部１２５から車番または認識不可信号を受ける。
出場車番認識部１２５から車番を受けたときは、その車番と利用者が挿入した駐車券からＯＣＲリーダーにより読み取った車番とを照合する。当該精算機１２３が親精算機１２３ａである場合で照合が一致した場合は、親精算機１２３ａは入場時刻を検索する。当該自動精算機１２３が親精算機１２３ａでない場合で照合が一致した場合は、親精算機１２３ａに入場時刻を問い合わせる。また、照合が不一致の場合は駐車券が無効であることを利用者に知らせる。
駐車券を照合し一致を得、親精算機１２３ａから入場時刻を得た前記精算機１２３または親精算機１２３ａは、当該入場時刻と現在時刻とに基づいて駐車料金を計算する。駐車料金はその旨を利用者に表示される。駐車料金が徴収されると当該精算機１２３または親精算機１２３ａの図示しない制御部によりカーゲート１２６が制御されて開かれる。
全自動精算機１２３または親精算機１２３ａが、認識不可信号を受けたときは、挿入した駐車券からＯＣＲリーダーにより読み取った識別部号を親精算機１２３ａに送り、当該車両のついての入場時刻を検索する。
出庫車両を前にして入場時刻を得た前記自動精算機１２３（または親精算機１２３ａ）は、当該入場時刻と現在時刻とに基づいて駐車料金を計算する。駐車料金はその旨を利用者に表示される。駐車料金が徴収されると当該自動精算機１２３または親精算機１２３ａの図示しない制御部によりカーゲート１２６が制御されて開かれる。
（事前精算がある場合の出庫処理）
出庫処理をしようとして利用者が駐車券を全自動精算機１２３（または親精算機１２３ａ）に挿入してＯＣＲリーダーにより読み取らせたとき、読み取った車番と出場車番認識部からの車番とが一致する当該車番について親精算機１２３ａが事前精算済みすなわち事前精算完了情報があることを確認した場合は、カーゲート１２６が制御されて開かれる。
駐車券から識別符号を読み取った場合は、親精算機１２３ａから当該識別符号に関連した車番について事前精算完了情報があることを確認した場合は、カーゲート１２６が制御されて開かれる。
【００１９】
車両が車両感知１２２を通過して出場後、出庫計数を＋１し、全部在庫を−１する。
精算処理が親精算機１２３ａによる場合は、当該車番の車両についての車番、入場時刻等の在庫歴を消去する。精算処理が他の自動精算機１２３により行われた場合は、その旨を親精算機１２３ａに出庫通知をし、その車両の在庫歴を消去させる。
【符号の説明】
【００２０】
１０１…光電センサー
１０２…車両感知器
１０３…駐車券発行機
１０４…車番カメラ
１０５…入場車番認識部
１０６…カーゲート
１１１…事前精算機
１２１…光電センサー
１２２…車両感知器
１２３…全自動精算機
１２３ａ…親精算機
１２４…車番カメラ
１２５…出場車番認識部
１２６…カーゲート
【図１】
2012083814.tif 000003
【図２】
2012083814.tif 000004